(57)【要約】【課題】外部の対象物を見ている状態の被検眼の屈折測定を行うとともに、より自然な姿勢での測定が可能な屈折測定装置を提供する。【解決手段】光源２１からの測定光束は、ミラー２５により反射され、断面リング状の光束となり光軸Ｏ２に沿って自由曲面プリズム３１に入射され、面３１ｂおよび光束分離面３１ａで反射されて装置外部からの可視光とともに光軸Ｏ１に沿って被検眼Ｅに案内されて眼底Ｆ上にリングパターンを形成する。眼底Ｆで反射された測定光束は、自由曲面プリズム３１およびプリズム２２を介してＣＣＤ２３により受光され、リングパターンが撮像される。演算制御装置４は、撮像されたリングパターンを解析することにより球面度、乱視度および乱視軸角度を算出する。また、屈折測定装置１は、装着部１ａにより被検者Ａの頭部Ｈに装着された状態で測定できるようになっている。【選択図】    図２
2004298461.tif 000002
【特許請求の範囲】
【請求項１】
被検眼へ測定光束を出射する光源を有し、当該光源により出射された前記測定光束の前記被検眼での反射光を基に前記被検眼の屈折力を他覚的に測定する測定手段と、
前記光源により出射された前記測定光束と、外部から入射される可視光とを同時に前記被検眼に案内するための光学系と、
を備え、
前記測定手段は、前記光学系により被検眼に案内された前記測定光束の前記被検眼での反射光に基づき、前記可視光を介して外部を視認している状態の前記被検眼の屈折力を測定することを特徴とする屈折測定装置。
【請求項２】
前記光学系は、前記測定光束の光軸と前記可視光の光軸とを合成する合成手段を含むことを特徴とする請求項１記載の屈折測定装置。
【請求項３】
前記合成手段は、
前記測定光束を反射させ且つ前記可視光を透過させることによって前記測定光束の前記光軸と前記可視光の前記光軸とを合成する面を有する自由曲面プリズムと、
前記自由曲面プリズムを透過するときの前記可視光の偏角を補正するための偏角補正プリズムと、
を含むことを特徴とする請求項２記載の屈折測定装置。
【請求項４】
前記測定手段および前記光学系を被検者の頭部に装着するための装着部を更に備えることを特徴とする請求項３記載の屈折測定装置。
【請求項５】
前記測定手段は、前記光源からの前記測定光束の光軸と、前記測定光束の前記被検眼での前記反射光の光軸とを分離するための分離手段を更に備えることを特徴とする請求項１ないし請求項４のいずれかに記載の屈折測定装置。
【請求項６】
前記測定手段は、
前記光源からの前記測定光束を所定のパターンの視標として前記被検眼に投影するための視標手段と、
前記視標手段により前記所定のパターンとして投影された前記視標を撮像する撮像手段と、
前記撮像手段により撮像された前記視標の形状を基に、前記被検眼の前記屈折力を演算する演算手段と、
を含むことを特徴とする請求項１ないし請求項５のいずれかに記載の屈折測定装置。
【請求項７】
前記被検眼の眼球運動を測定するための眼球運動測定手段と、
前記測定手段を駆動させるための駆動手段と、
前記眼球運動測定手段による前記眼球運動の測定結果を基に、前記測定手段が前記被検眼を追従するよう前記駆動手段を制御する制御手段と、
を更に備えることを特徴とする請求項１ないし請求項６のいずれかに記載の屈折測定装置。
【請求項８】
前記眼球運動測定手段は、
前記被検眼を照射するための照射光源と、
前記被検眼のリンバス近傍の所定領域からの反射光の光量を検出する検出手段と、
前記検出手段により検出された前記光量を基に前記被検眼の眼球運動の方向および／または変位を演算する演算手段と、
を含み、
前記制御手段は、前記演算手段による前記演算の結果に基づいて前記駆動手段を制御することを特徴とする請求項７記載の屈折測定装置。
【請求項９】
前記演算手段は、前記検出手段により検出された前記光量に基づき前記被検眼の輻輳角を算出することを特徴とする請求項８記載の屈折測定装置。
【請求項１０】
請求項１ないし請求項９のいずれかに記載の前記屈折測定装置を左右一対備え、被検者の左眼および右眼の屈折力をそれぞれ測定することを特徴とする屈折測定装置。
【発明の詳細な説明】
【０００１】
【発明の属する技術分野】
本発明は、被検眼の屈折力を測定するための屈折測定装置に関し、より詳しくは、周囲の環境や画像などを見ている状態の被検眼の屈折測定を自然な姿勢で行うことが可能な屈折測定装置に関する。
【０００２】
【従来の技術】
現在広く普及している屈折測定装置は、被検者の顎を載置させるための顎受けや、額を当接させるための額当てを備えることにより、被検者と装置との相対的位置のズレを防止するようになっているのが一般的である（例えば下記の特許文献１参照）。このような屈折測定装置では、被検者は前かがみになって顎や額を顎受けや額当てに接触させた不自然な姿勢で測定が行われていたため（当該文献の第１図を参照）、被検者に身体的、精神的に負担を与えていた上に、実生活における被検眼の屈折力を正確に測定することが困難であった。
【０００３】
ところで、近年、例えば３次元ディスプレイの開発等、画像表示装置の分野における発展には目覚ましいものがある。このような新規の画像表示装置は、人間の眼の構造や作用を巧みに利用することによって様々な効果を発揮するようになっている。上記の３次元ディスプレイの例は、右眼と左眼の視差を利用して画面に映る画像を立体的に見せようとするものである。
【０００４】
しかし、このような視覚的効果はいわば非現実的な作業を眼に要求するものであり、したがって眼に掛かる負担は非常に大きなものとなる。そのため、人間工学的観点から眼に優しい画像を表示するべく、更なる研究開発が進行しているのが現状である。そこで、画像を見ている眼の調節状態を測定するための装置が必要となる。
【０００５】
このような屈折測定装置には様々な条件が必要である。第１に、画像表示装置により表示される画像を視認した状態の被検眼の屈折測定を行う必要がある。第２に、画像表示装置は実生活の中で使用されるものであるから、実生活に即した自然な姿勢で測定は行われるべきである。特許文献１に開示されたような従来の屈折測定装置では、上述したようにこの条件を充足することは難しいと思われる。第３には、画像を見ている人は所定の位置にとどまっているとは限らないため、場所を移動しながらでも測定できるような構成が好ましいと考えられる。しかし、このような機能を備えた屈折測定装置は、現在のところ開示されていない。また、第４に、画像表示装置が表示する画像は動画であることが多いので、動画を見ている状態の眼を継続的に測定できることが好適である。リアルタイムに測定を行うことが可能な屈折測定装置の一例としては、下記の特許文献２に記載のものが開示されている。ただ、当該文献に記載の装置では、そのサイズを考慮すると、上記第３の条件を満足することは難しい。
【０００６】
結局、現在使用されている屈折測定装置では、画像表示装置を評価する目的に対応することは非常に困難であると結論される。
【０００７】
【特許文献１】
特開平１１−２９９７３３号公報（段落〔００１４〕、〔００１５〕第１図、第２図）
【特許文献２】
特開２０００−２６２４７５号公報（請求項）
【０００８】
【発明が解決しようとする課題】
そこで、本発明は、以上のような問題点に鑑み、被検者の周囲の環境や画像など、装置外部の対象物を見ている状態の被検眼の屈折測定を行うことが可能な屈折測定装置を提供することを目的としている。
【０００９】
また、本発明は、より自然な姿勢で被検眼の屈折測定を行うことができる屈折測定装置を提供することを目的としている。
【００１０】
また、本発明は、移動しながらでも屈折測定を行うことが可能な屈折測定装置を提供することを目的とするものでもある。
【００１１】
更に、本発明は、これら２つの目的に加えて、リアルタイムに屈折測定を行うことが可能な屈折測定装置を提供することを目的としている。
【００１２】
また、本発明の屈折測定装置は、眼鏡やコンタクトレンズを処方するための通常の測定の他にも、３次元ディスプレイ等の画像表示装置の評価にも好適に使用できることを付記しておく。
【００１３】
【課題を解決するための手段】
上記目的を達成するために、請求項１に記載の発明は、被検眼へ測定光束を出射する光源を有し、当該光源により出射された前記測定光束の前記被検眼での反射光を基に前記被検眼の屈折力を他覚的に測定する測定手段と、前記光源により出射された前記測定光束と、外部から入射される可視光とを同時に前記被検眼に案内するための光学系と、を備え、前記測定手段は、前記光学系により被検眼に案内された前記測定光束の前記被検眼での反射光に基づき、前記可視光を介して外部を視認している状態の前記被検眼の屈折力を測定することを特徴とする屈折測定装置である。この発明によれば、被検者の周囲の環境や画像など、装置外部の対象物を見ている状態の被検眼の屈折測定を行うことが可能となる。
【００１４】
上記目的を達成するために、請求項２に記載の発明は、請求項１記載の屈折測定装置であって、前記光学系は、前記測定光束の光軸と前記可視光の光軸とを合成する合成手段を含むことを特徴とする。この発明によれば、測定光束の光軸と外部からの可視光の光軸とを合成して測定を行うことができるので、外部を視認している被検眼の屈折力を正確に測定することが可能となる。
【００１５】
上記目的を達成するために、請求項３に記載の発明は、請求項２記載の屈折測定装置であって、前記合成手段は、前記測定光束を反射させ且つ前記可視光を透過させることによって前記測定光束の前記光軸と前記可視光の前記光軸とを合成する面を有する自由曲面プリズムと、前記自由曲面プリズムを透過するときの前記可視光の偏角を補正するための偏角補正プリズムと、を含むことを特徴とする。この発明によれば、自由曲面プリズムを使用することによって装置の小型軽量化を図ることが可能となり、更に、偏角補正プリズムを使用することによって装置外部の対象物を視認する際の偏向や歪みを矯正して自然な像を提供することができる。
【００１６】
上記目的を達成するために、請求項４に記載の発明は、請求項３記載の屈折測定装置であって、前記測定手段および前記光学系を被検者の頭部に装着するための装着部を更に備えることを特徴とする。この発明によれば、請求項３の発明で自由曲面プリズムを採用したことによる装置の小型軽量化に基づいて、装着部により被検者の頭部に装置を装着することを可能とする。そして、屈折測定装置を装着した状態で測定を行うことができるので、従来の接眼部を覗き込むときのような不自然な姿勢を取らなくても、より自然な姿勢で測定を行うことが可能となり、被検者の負担が軽減される。また、装置を装着した状態で移動しながら測定を行うこともできる。
【００１７】
上記目的を達成するために、請求項５に記載の発明は、請求項１ないし請求項４のいずれかに記載の屈折測定装置であって、前記測定手段は、前記光源からの前記測定光束の光軸と、前記測定光束の前記被検眼での前記反射光の光軸とを分離するための分離手段を更に備えることを特徴とする。この発明によれば、装置の更なる小型軽量化を図ることができ、特に請求項３の発明において、より楽な装着感を提供することができ、被検者に掛かる身体的、精神的な負担を軽減することが可能となる。
【００１８】
上記目的を達成するために、請求項６に記載の発明は、請求項１ないし請求項５のいずれかに記載の屈折測定装置であって、前記測定手段は、前記光源からの前記測定光束を所定のパターンの視標として前記被検眼に投影するための視標手段と、前記視標手段により前記所定のパターンとして投影された前記視標を撮像する撮像手段と、前記撮像手段により撮像された前記視標の形状を基に、前記被検眼の前記屈折力を演算する演算手段と、を含むことを特徴とする。この発明によれば、測定手段による被検眼の他覚的屈折測定の構成を具体的に構成することが可能となる。
【００１９】
上記目的を達成するために、請求項７に記載の発明は、請求項１ないし請求項６のいずれかに記載の屈折測定装置であって、前記被検眼の眼球運動を測定するための眼球運動測定手段と、前記測定手段を駆動させるための駆動手段と、前記眼球運動測定手段による前記眼球運動の測定結果を基に、前記測定手段が前記被検眼を追従するよう前記駆動手段を制御する制御手段と、を更に備えることを特徴とする。この発明によれば、被検眼が眼球運動により様々な方向を向いたとしても被検眼を追従しながら測定を正確に行うことが可能となる。特に、移動しながらの測定や動画を見ている状態での測定などにおける測定精度を向上させることができる。
【００２０】
上記目的を達成するために、請求項８に記載の発明は、請求項７記載の屈折測定装置であって、前記眼球運動測定手段は、前記被検眼を照射するための照射光源と、前記被検眼のリンバス近傍の所定領域からの反射光の光量を検出する検出手段と、前記検出手段により検出された前記光量を基に前記被検眼の眼球運動の方向および／または変位を演算する演算手段と、を含み、前記制御手段は、前記演算手段による前記演算の結果に基づいて前記駆動手段を制御することを特徴とする。この発明によれば、被検眼の眼球運動を測定するための具体的な構成を提供することができる。
【００２１】
上記目的を達成するために、請求項９に記載の発明は、請求項８記載の屈折測定装置であって、前記演算手段は、前記検出手段により検出された前記光量に基づき前記被検眼の輻輳角を算出することを特徴とする。この発明によれば、検眼測定において重要な測定対象の一つである被検眼の輻輳角を取得することが可能となり、装置の適用範囲を広げることができる。
【００２２】
上記目的を達成するために、請求項１０に記載の発明は、請求項１ないし請求項９のいずれかに記載の前記屈折測定装置を左右一対備え、被検者の左眼および右眼の屈折力をそれぞれ測定することを特徴とする屈折測定装置である。本発明によれば、左右両被検眼の測定を行うときに装置を付け替える煩わしさがなくなる。また、両眼同時測定も可能となる。更に、実生活においては左右両眼を使っているのが通常であるから、より実情に即した屈折測定を行うことができる。
【００２３】
【発明の実施の形態】
本発明に係る屈折測定装置の実施形態の一例について説明する。本発明に係る屈折測定装置は、被検眼を所定の位置に固定配置した状態で測定を行う従来の装置とは異なり、移動しながら眼屈折力を測定できるように構成されたものである。これにより、実生活により近い環境での屈折測定を行うことが可能となる。また、３次元ディスプレイの人間工学的な評価に利用するなど、人間の眼の構造や作用に基づく各種の装置の評価測定にも適用することが可能である。
【００２４】
［第１の実施の形態］
（屈折測定装置の構成）
図１および図２は本発明の第１の実施形態の屈折測定装置１の構成を示した図で、図１はその使用状態の概略を示す透視図であり、図２は装置の内部構成を示す概略図である。なお、図１および図２はともに側面図であるため、被検者Ａの右眼に対する装置の構成のみが図示されているが、同様の構成が左眼側にも設けられ、左眼および右眼の屈折測定をそれぞれ行うようになっている。以下、両図に示す右眼側の構成についてのみ説明することとする。
【００２５】
図１に示すように、屈折測定装置１は、その装着部１ａにより被検者Ａの頭部Ｈに装着された状態で測定を行うようになっている。装着部１ａは、眼鏡と同様のかけ枠や、頭部Ｈの大きさに合わせてその径を調整可能なベルト等から構成される。また、当該屈折測定装置１は、被検眼Ｅの屈折測定を行うための光学系を備えた光学モジュール２と、被検眼Ｅ（の水晶体Ｌ）に対峙して配置されるプリズム部３とを含んで構成されている。なお、詳細は後述するが、図１中のＯ１はプリズム部３を透過する光束の光軸を、Ｏ２はプリズム部３により反射される光束の光軸をそれぞれ示している。
【００２６】
次に、図２を参照して、屈折測定装置１の内部構成について具体的に説明する。なお、この図２では、装着部１ａの図示は省略されている。屈折測定装置１は、図１にも示す光学モジュール２およびプリズム部３と、装置各部の動作制御とともに、後述のＣＣＤ２３により撮像されたデータを解析して被検眼Ｅの屈折力（球面度、乱視度、乱視軸角度）を求めるための演算を行う演算制御装置４とを内蔵している。この演算制御装置４は、本発明の演算手段および制御手段として機能するもので、ＣＰＵ等の情報処理手段やＲＯＭ等の記憶手段とを含んで構成されている。なお、屈折測定装置１の外部に演算制御装置４を設けるよう構成することもできる。
【００２７】
被検眼Ｅの他覚的屈折測定を行うための光学モジュール２は、本発明で言う測定手段を構成するもので、屈折測定のために被検眼Ｅに投射される測定光束を生成する光源２１と、ビームスプリッタとしてのプリズム２２と、測定光束の被検眼Ｅでの反射光を受光する受光面を備えた撮像手段としてのＣＣＤ２３とを含んで構成されている。光源２１は、近赤外光を出射する発光ダイオード（ＬＥＤ）からなる。本発明で言う分離手段を成すプリズム２２は、２つの部材が接合された構成となっており、光源２１からの測定光束の光軸とＣＣＤ２３により受光されるその反射光の光軸とが接合面２４で分離されるようになっている。また、接合面２４には光源２１からの光束を反射して被検眼Ｅの眼底Ｆにリングパターンを投影するためのリング状に形成されたミラー２５が設けられている。ミラー２５は、本発明の視標手段を構成している。なお、ミラー２５は、測定光束の進行方向に対して傾斜して配置され、楕円形状（リング状）を有している。そして、このミラー２５により反射される測定光束の断面形状は円形（リング状）となり、眼底Ｆ上に円形のリングパターンを形成するようになっている。本発明では、「リング状」という語をこのような意味で用いることとする（以下同様）。
【００２８】
また、屈折測定装置１のプリズム部３は、本発明で言う光学系および合成手段を構成するもので、被検眼Ｅに対峙して配置される、回転非対称な形状の自由曲面プリズム３１と、この自由曲面プリズム３１の被検眼Ｅと反対側の面に接合された偏角補正プリズム３２とを含んでいる。自由曲面プリズム３１の被検眼と反対側の面（光束分離面）３１ａは、例えば誘電体蒸着膜を形成することにより、可視光（の主な部分）を透過し赤外光を反射するダイクロイックプリズムとして作用するように構成されている。偏角補正プリズム３２は、自由曲面プリズム３１と同じ透過率を有する材質（同じ材質で十分である）からなり、その被検眼Ｅから最も遠い位置の面３２ａが自由曲面プリズム３１の被検眼Ｅに対峙する面３１ｂと平行になるように形成され、自由曲面プリズム３１を透過する際の可視光の偏角を補正するようになっている。このようなプリズム部３により、光源２１からの測定光束と、装置外部から入射される可視光とが同時に被検眼Ｅに案内されるようになっている。
【００２９】
ここで、光源２１と眼底Ｆとは光学的に共役関係に配置されており、また、ＣＣＤ２３と眼底Ｆとも光学的に共役関係に配置されている。
【００３０】
（屈折測定装置の動作・作用）
以上のような構成を備えた屈折測定装置１の動作および作用について説明する。まず、被検者Ａの頭部Ｈの大きさに合わせて装着部１ａを調整し、プリズム部３の自由曲面プリズム３１の面３１ｂが被検眼Ｅに対峙するように屈折測定装置１を頭部Ｈに装着する。このとき、被検者Ａは、可視光を透過するプリズム部３を介して周囲の環境や（３次元）ディスプレイなどを視認することができる。その視認像は、偏角補正プリズム３２により偏向や歪みのないものとして認識される。
【００３１】
図示しないスイッチを押下すると、演算制御装置４の制御により光源が点灯する。光源２１から出射された測定光束は、リング状に形成されたミラー２５により反射され、（断面が）リング状の光束となり光軸Ｏ２に沿ってプリズム部３の自由曲面プリズム３１に入射される。リング状の測定光束は、自由曲面プリズム３１の面３１ｂおよび光束分離面３１ａで反射されて光軸Ｏ１上を進行し、被検眼Ｅに入射されて眼底Ｆ上にリングパターンを形成する。
【００３２】
眼底Ｆで反射された測定光束は、光軸Ｏ１に沿って被検眼Ｅから出射し、自由曲面プリズム３１の光束分離面３１ａおよび面３１ｂで反射され、光学モジュール２のプリズム２２の接合面２４を透過してＣＣＤ２３により受光される。これにより、眼底Ｆ上に形成されたリングパターンが撮像される。ＣＣＤ２３により取得されたデータは演算制御装置４に送られ、リングパターンの大きさを解析することにより球面度が算出され、リングパターンが楕円形状に歪んだときはその歪み度合いから乱視度が算出され、更に楕円形状の向きから乱視軸角度が算出される。
【００３３】
以上のような屈折測定装置１によれば、自由曲面プリズム３１を使用したことで装置の小型軽量化が図られ、被検者Ａは装置を装着した自然な姿勢で屈折測定を行うことが可能となる。更に、周囲の環境やディスプレイ等を明確に視認可能な状態で屈折力を測定でき、装置を装着した状態で移動しながら測定することも可能である。
【００３４】
また、周囲の環境や３次元ディスプレイの立体画像を見ている場合などには、被検眼Ｅの調節の度合いから被検者Ａがどこを視認しているかを認識することができる。つまり、屈折力の測定結果から被検眼Ｅがどの程度の調節をしているか知ることができ、従って被検者Ａがどの程度の奥行きにあるものを視認しているかを認識することが可能となる。なお、後述される眼球運動測定装置（第３の実施の形態を参照）を使用すれば、被検眼Ｅがどの方向を向いているかを測定することが可能となり、被検者Ａが視認しているものの３次元的位置を認識できる。また、３次元ディスプレイを観察したときに生じる眼の疲労として、輻輳と調節との不一致が考えられ、この不一致が生じているかどうか検査することが可能である。
【００３５】
また、左右両被検眼の輻輳角から被検者の視認しているものの位置を認識する従来の構成とは異なり、被検者の左眼、右眼それぞれ別個にその視認している位置を認識することにより片眼毎の調節能力を測定することができるので、より詳細な被検眼に関する情報を取得することが可能となる。
【００３６】
［第２の実施の形態］
次に、本発明に係る屈折測定装置の第２の実施形態について説明する。図３は、当該実施形態の屈折測定装置１０１の内部構成を示す概略図である。この屈折測定装置１０１は、図示は省略するが、被検者の頭部に装置を装着するための装着部を備え、第１の実施形態の屈折測定装置１と同様の状態で使用される。
【００３７】
（屈折測定装置の構成）
本実施形態の屈折測定装置１０１は、図３に示すように、光学モジュール１０２およびプリズム部１０３とを含んで構成されている。なお、図示は省略するが、第１の実施形態の屈折測定装置１と同様の演算制御装置（演算手段、制御手段）が内蔵されている。
【００３８】
被検眼Ｅの屈折測定を行うための光学モジュール１０２（測定手段）は、屈折力を測定するために被検眼Ｅに投射される測定光束を生成する光源１２１と、ビームスプリッタとしてのプリズム１２２と、受光面を備えた撮像手段としてのＣＣＤ１２３と、光源１２１からの測定光束を屈折させるためのレンズ１２４とを含んで構成されている。光源１２１およびＣＣＤ１２３の構成は、第１の実施形態の屈折測定装置１の場合と同様である。なお、符号１２５はプリズム１２２を形成する２つの部材の接合面を示し、プリズム１２２はこの接合面１２５によってビームスプリッタとして作用する（分離手段）。
【００３９】
また、光学モジュール１０２には、被検眼Ｅの瞳と光学的に共役な位置に配置されるリング形状の絞り１２６と、眼底Ｆと光学的に共役な位置に配置されるリング形状の絞り１２７とが設けられており、光源１２１からの測定光束は、本発明で言う視標手段を構成する絞り１２６および１２７により断面リング状の光束として被検眼Ｅに投射されるようになっている。
【００４０】
屈折測定装置１０１のプリズム部１０３（光学系、合成手段）は、第１の実施形態の屈折測定装置１と同様の自由曲面プリズム１３１と偏角補正プリズム１３２とを含んでいる。自由曲面プリズム３１と偏角補正プリズム１３２との接合面は、可視光を透過し、赤外光を反射する光束分離面１３１ａを形成している。また、自由曲面プリズム３１の被検眼Ｅに対峙する面１３１ｂと、偏角補正プリズム１３２の面１３２ａとは平行とされている。
【００４１】
なお、Ｏ１はプリズム部３を透過する光束の光軸を示し、Ｏ２はプリズム部３により反射される光束の光軸を示し、光源１２１からの測定光束と、装置外部から入射される可視光とはプリズム部３によって同時に被検眼Ｅに案内されるようになっている。
【００４２】
（屈折測定装置の動作・作用）
続いて、このような構成を備えた本実施形態の屈折測定装置１０１の動作および作用について説明する。光源１２１により生成された近赤外光からなる測定光束は、レンズ１２４に案内されて、被検眼Ｅの瞳と共役位置にある絞り１２６および眼底Ｆと共役位置にある絞り１２７を通過して（断面が）リング状の光束となり、プリズム１２２の接合面１２７で反射されて光軸Ｏ２方向に偏向され、プリズム部１０３側に進行する。
【００４３】
プリズム部１０３に入射したリング状の測定光束は、自由曲面プリズム３１の面１３１ｂおよび光束分離面１３１ａで反射されて光軸Ｏ１上を被検眼Ｅに入射される。被検眼Ｅに案内されたリング状の測定光束は、絞り１２７と共役な位置にある眼底Ｆにリングパターンを形成する。
【００４４】
このとき、被検者の周囲の環境やディスプレイ画像は、プリズム部１０３を透過して光軸Ｏ１上を進行する可視光を介して被検者に視認されている。
【００４５】
被検眼Ｅの眼底Ｆで反射された測定光束は、光軸Ｏ１に沿って被検眼Ｅから出射し、自由曲面プリズム１３１の光束分離面１３１ａおよび面１３１ｂで反射され、光学モジュール１２２のプリズム１２２の接合面１２５を透過してＣＣＤ１２３により受光される。これにより、眼底Ｆ上に形成されたリングパターンが撮像される。図示しない演算制御装置は、ＣＣＤ２３により撮像された眼底Ｆ上のリングパターンの形状を解析して、球面度、乱視度および乱視軸角度の算出を行うようになっている。
【００４６】
以上のような屈折測定装置１０１によれば、第１の実施形態の屈折測定装置１と同様に、被検者は装置を装着した自然な姿勢で屈折測定を行うことが可能となり、装置外部の対象物を見ている状態の被検眼に屈折測定を行うことが可能となり、更に、装置を装着した状態で移動しながら測定することが可能となる。また、視認しているものの位置を片眼毎に認識することもできる。
【００４７】
本発明の第１の実施形態の屈折測定装置１および第２の実施形態の屈折測定装置１０１に次のような変形を施すことができる。
【００４８】
まず、眼底に投影されるパターンは上述のようなリング状のものに限定されることはなく、他覚測定に用いることが可能な各種のパターンを採用することができることは言うまでもない。
【００４９】
また、球面度、乱視度および乱視軸角度を測定するだけではなく、ハルトマンシャック波面センサを使用して高次波面収差まで測定するように構成するなど、その目的・用途に応じて適宜選択することができる。
【００５０】
ところで、被検者は常に一定の対象物を視認しているわけではない。例えば、移動しながら測定を行う場合などには、その対象物と被検眼Ｅとの相対的位置が変化することに伴って被検眼Ｅの調節の度合い（屈折力）も変化し、ひいては眼底Ｆ上のリングパターンの形状も時々刻々と変化する。また、３次元ディスプレイによる立体画像中で移動する物体を眼で追いかけているときなどには、同様にリングパターン形状が変化する。
【００５１】
このように時間とともに変化する被検眼Ｅの屈折力をリアルタイムで測定することができれば、眼鏡等の処方を目的とする場合はもとより、ディスプレイの人間工学的な評価測定を行う場合にも非常に有効なものとなる。そのために、１秒間に所定の回数（演算制御装置の演算速度に応じて決定することができる。）反復して屈折力を測定するよう演算制御装置により光学モジュールを制御し、演算を行うよう構成することができる。
【００５２】
［第３の実施の形態］
以上のようにリアルタイムに被検眼Ｅの屈折力を測定する場合には特に、被検眼Ｅの眼球運動が測定精度上問題となることが多い。例えば、第１の実施形態の屈折測定装置１において検影法により測定するときなどには、小さな眼球運動は測定精度にさほど影響を与えないが、大きな眼球運動があった場合やハルトマンシャック波面センサを使用して高精度の眼球位置を検知するような場合には、装置を眼球運動に追従して移動させて測定精度を確保するための何らかの構成が必要となる。これを可能とする眼球運動の測定方法としては、角膜前面の反射光を利用する方法、角膜後面、水晶体の前後面の反射光を利用する方法、瞳の縁端を検出する方法、リンバス（白目と黒目との境界）をトラッキングする方法、などがある。また、これらの方法を組み合わせて被検眼Ｅが向いている方向を測定することもできる。以下、リンバスをトラッキングして眼球運動を測定するための構成を付加した第１の実施形態の屈折測定装置１について、図４および図５を参照して説明する。なお、第１の実施形態で説明した部分については、その名称および符号をそのまま使用することとする。
【００５３】
（眼球運動測定装置の構成）
図４は、被検眼Ｅの眼球運動を測定するための眼球運動測定装置の構成の概略を示している。当該眼球運動測定装置は、本発明の眼球運動測定手段を構成し、（例えば）近赤外光を被検眼Ｅに照射する光源４１（照射光源）と、光源４１からの近赤外光の被検眼Ｅ上の長方形領域Ｒでの反射光を案内するための光ファイバ４２と、上記反射光を光ファイバ４２の被検眼Ｅ側の端面４２ａに収束させるためのレンズ４３と、光ファイバ４２により案内され端面４２ｂから出射された上記反射光の光量を検出するための光ディテクタ４４（検出手段）とを含んで構成されている。また、光源４１からの近赤外光の長方形領域Ｒ’での反射光を検出するための光ファイバ４２’，レンズ４３’および光ディテクタ４４’が同様に設けられている。なお、光ファイバ４２，４２’が長方形領域Ｒ、Ｒ’に対して斜め方向に配置されているのは、屈折測定装置１のプリズム部３を介して周囲の環境やディスプレイを視認している被検者Ａの視野を妨げないためである。
【００５４】
長方形領域Ｒと光ファイバ４２の端面４２ａとは、レンズ４３を介して光学的に共役な位置に配置されており、長方形領域Ｒ’と光ファイバ４２の端面４２ａ’とは、レンズ４３’を介して光学的に共役な位置に配置されている。また、光ファイバ４２、４２’の端面４２ａ、４２ｂ、４２ａ’および４２ｂ’は、長方形領域Ｒ、Ｒ’と同様に長方形状になっている。なお、光源４１からの近赤外光の反射を検出する被検眼Ｅ上の領域の形状は長方形に限られるものではなく、例えば円形や楕円形などを採用してもよい。このとき、採用される領域と同様の形状と同様の端面形状を備えた光ファイバ４２，４２’が使用される。
【００５５】
本発明の演算手段および制御手段である演算制御装置４は、光ディテクタ４４、４４’により検出された上記反射光の光量の差分を演算することにより、被検眼Ｅが左右どちらの方向を向いているか判断し、その判断結果に応じた信号を出力端４５に送信するようになっている。超音波モータ４６は、本発明の駆動手段として動作するもので、光学モジュール２をプリズム部３に対して左右方向に駆動するよう設けられており、出力端４５に送られた信号に基づいて動作するようになっている。なお、上記演算を行うための演算回路を独立に設けてもよい。
【００５６】
例えば、演算制御装置４は、光ディテクタ４４が検出した光量から光ディテクタ４４’が検出した光量を減算し、その値の符号（＋／−）や絶対値に対応する光学モジュール２の駆動の方向や変位を決定し、信号として出力端４５に送信する。超音波モータ４６は、出力端４５に送信された信号を基に、光学モジュール２を上記の方向に上記の変位だけ駆動させる。
【００５７】
なお、図４中のＰは被検眼Ｅの瞳孔を示し、Ｃは角膜（虹彩）を示し、Ｓは強膜を示している。被検眼Ｅ上の長方形領域Ｒ、Ｒ’は、被検眼Ｅが正面を向いているときに、角膜Ｃと強膜Ｓとの境界が各領域の中央に配置するように、つまり長方形領域Ｒ、Ｒ’の半分は角膜Ｃ側に含まれ且つ残りの半分が強膜Ｓ側に含まれるように、初期設定されている。従って、長方形領域Ｒ、Ｒ’は、それぞれ、黒目（角膜Ｃ）と白目（強膜Ｓ）とをまたぐように配置されている。
【００５８】
（眼球運動測定装置の動作・作用）
続いて、このような構成の眼球運動測定装置の動作について説明する。光源４１を点灯させて被検眼Ｅに近赤外光を照射すると、長方形領域Ｒ、Ｒ’での反射光は、レンズ４３、４３’を介して光ファイバ４２、４２’の端面４２ａ、４２ａ’に集光され、光ファイバ４２、４２’に案内されて端面４２ｂ、４２ｂ’から出射され、それぞれ光ディテクタ４４、４４’によって検出される。
【００５９】
このとき、被検眼Ｅが正面を向いていれば、各長方形領域Ｒ、Ｒ’の半分は角膜Ｃ側に含まれ、残りの半分は強膜Ｓ側に含まれるので、各光ディテクタ４４、４４’によって検出される反射光の光量は双方とも同じとなるから、演算制御装置４による光量の差分は（ほぼ）ゼロとなり、光学モジュール２の駆動の変位をゼロと決定し、その結果を信号として出力端４５へ送信する。超音波モータ４６は、出力端４５に送信された信号（差分ゼロ）に従って、光学モジュール２を駆動させないようになっている。
【００６０】
また、被検眼Ｅが図４に向かって左方向を見ている場合、長方形領域Ｒ内の黒目の部分領域が増加するとともに白目の部分領域が減少し、逆に、長方形領域Ｒ’内の黒目の部分領域が減少するとともに白目の部分領域が増加する。黒目部分および白目部分の近赤外光の反射率を考慮すると、白目部分の方が大きな反射率を有するので、光ディテクタ４４により検出される長方形領域Ｒでの反射光の光量は減少し、逆に、光ディテクタ４４’により検出される長方形領域Ｒ’での反射光の光量は増加することとなる。従って、演算制御装置４により演算される差分の値の符号はマイナス（−）となり、光学モジュール２の駆動の方向をマイナス側（ここでは図４に向かって左側）と決定し、上記差分の値の絶対値から駆動の変位を決定して、その結果を信号として出力端４５に送信する。超音波モータ４６は、出力端４５に送信された信号に従い、光学モジュール２をマイナス方向に上記変位だけ駆動させるようになっている。
【００６１】
また、被検眼Ｅが図４に向かって右方向を見ている場合、長方形領域Ｒ内の白目の部分領域が増加するとともに黒目の部分領域が減少し、逆に、長方形領域Ｒ’内の白目の部分領域が減少するとともに黒目の部分領域が増加する。従って、光ディテクタ４４により検出される長方形領域Ｒでの反射光の光量は増加し、逆に、光ディテクタ４４’により検出される長方形領域Ｒ’での反射光の光量は減少することとなる。従って、演算制御装置４により演算される差分の値の符号はプラス（＋）となり、光学モジュール２の駆動の方向をプラス側（図４に向かって右側）と決定し、上記差分の値の絶対値から駆動の変位を決定して、その結果を信号として出力端４５に送信する。超音波モータ４６は、出力端４５に送信された信号に従い、光学モジュール２をプラス方向に上記変位だけ駆動させるようになっている。
【００６２】
このようなリンバスをトラッキングする方式の眼球運動測定装置によれば、画像解析などの比較的複雑な処理に因らずに、光ディテクタの出力をアナログ処理するだけであるから、高速な処理を行うことができる。実際、１秒間に１０００回（１ｋＨｚ）以上のリンバストラッキングが可能である。従って、高速な眼球運動が生じた場合でも光源２１からの測定光束を網膜上の中心窩に配置させることができるので、リアルタイムでの屈折測定を正確に行うことが可能となる。
【００６３】
なお、高速で反復される演算処理の各処理毎に光学モジュール２を駆動して被検眼Ｅへのアライメントを行う必要はなく、例えば１秒間に１回ないしは数回程度駆動するように動作のタイミングを制御してもよい。このようにすれば、ほんの一瞬だけ被検者Ａが視線を動かしたことなどに対応する無駄なアライメント動作を行う必要がなくなるとともに、装置の故障や消耗を低減させることが可能となる。
【００６４】
また、演算される差分の値に閾値を段階的に設け、絶対値が最小の閾値の範囲では光学モジュール２を駆動させないようにし、その他の閾値の範囲にはそれぞれ駆動の変位を対応させて、測定可能な範囲内でのアライメントのズレを許容するような構成としてもよい。各閾値の範囲は、例えばＣＣＤ２３の受光面の幅程度の被検眼の変位に対応する上記差分の値とすることができる。このようにすれば、眼底Ｆ上のリングパターンをＣＣＤ２３により常時撮像することができる。
【００６５】
また、本実施形態の眼球運動測定装置はサイズの大きな部材を必要としないため、これを屈折測定装置１に設けても、測定時における被検者Ａの負担になることがない。
【００６６】
さらに、本実施形態の眼球運動測定装置により取得される左右被検眼それぞれが向いている方向を基に、左右両被検眼のまたは左右各被検眼の輻輳角を算出するようにしてもよい。また、光源４１によって照射される被検眼ＥをＣＣＤ２３によって撮像し、その前眼部像から瞳の大きさを測定するように構成することもできる。
【００６７】
また、本実施形態では、被検眼Ｅ上の２つの領域での反射光を検出することにより左右方向への眼球運動を測定し、この測定結果を基に眼球の左右への移動に合わせて光学モジュール２を駆動するように構成が採用されているが、考慮する領域の位置や数に変更を加えるなどして、上下方向の眼球運動にも対応できるようにしてもよい。また、光学モジュール２だけでなく、プリズム部３も一体として駆動されるような構成とすることもできる。
【００６８】
例えば、図５に示すように、被検眼Ｅ上の４つの長方形領域Ｒ１，Ｒ２，Ｒ３およびＲ４での光源４１（不図示）からの近赤外光の反射光を検出し、光学モジュール２の上下左右方向のアライメントを行うことができる。この場合、対角位置にある長方形領域Ｒ１およびＲ４を一対とし、長方形領域Ｒ２およびＲ３を一対として考慮し、演算制御装置４は、（長方形領域Ｒ１での反射光の光量）−（長方形領域Ｒ４での反射光の光量）＝Δ１、および、（長方形領域Ｒ２での反射光の光量）−（長方形領域Ｒ３での反射光の光量）＝Δ２を演算し、Δ１＝Δ２＝０ならば被検眼Ｅは正面を向いていると判断し、Δ１＞０且つΔ２＞０ならば被検眼Ｅは下方を向いていると判断し、Δ１＜０且つΔ２＜０ならば被検眼Ｅは上方を向いていると判断し、Δ１＞０且つΔ２＜０ならば被検眼Ｅは図５に向かって右方向を向いていると判断し、Δ１＜０且つΔ２＞０ならば被検眼Ｅは左側を向いていると判断して、それぞれの判断結果に応じた信号を出力端４５に送信するようにし、超音波モータは、出力端４５に送信された信号に基づき光学モジュール２を駆動するようにすればよい。更に、Δ１およびΔ２の絶対値から被検眼Ｅが右上、左上、右下、左下を向いていると判断することもできるようにしてもよい。また、駆動の変位は、第２の実施形態の場合と同様にΔ１およびΔ２の絶対値から求めるようになっている。
【００６９】
なお、このように４つの領域を考慮する場合には、各領域に対応する４本の光ファイバおよび４つのレンズが必要となる。また、光学モジュール２を上下方向に駆動する超音波モータと、左右方向に駆動する超音波モータとが設けられ、それぞれ独立に駆動するようになっている。
【００７０】
以上説明した各屈折測定装置は、左右両被検眼の屈折測定を行うための構成とされているが、片眼のみを測定するような構成としてもよい。
【００７１】
また、光学モジュールを駆動させるための駆動手段は、上述の超音波モータに限定されるものではなく、目的に応じて自由に選択することができる。
【００７２】
更に、自由曲面プリズムを使用することにより装置を小型化できるので、据え置き型の屈折測定装置に本発明の構成を適用して省スペース化を図ることができる。また、携帯型の屈折測定装置として構成することも可能である。
【００７３】
また、以上の実施形態に示すような左右両被検眼を測定可能な屈折測定装置に、左右被検眼の瞳孔間距離（ＰＤ値）を測定し、取得したＰＤ値に合わせて自由曲面プリズムを含む光学系を移動させるための構成を設けてもよい。例えば、装置の外部側にＰＤ値測定用の目盛りを設けて検者等がＰＤ値を測定し、これに合わせて各光学系を左右方向に移動させるように構成できる。また、このような手動によるものではなく、ＣＣＤで撮像される被検眼の像から左右両被検眼の瞳孔を検出し、各瞳孔の中心間の距離を演算してＰＤ値を取得するよう構成するとともに、左右の光学系をそれぞれ独立に左右方向に駆動させる手段（超音波モータなど）を設け、取得したＰＤ値に合わせて光学系を移動制御するよう構成することも可能である。
【００７４】
本発明の実施形態として説明した以上の屈折測定装置は、本発明の主旨を詳述するための具体的構成の一例であり、当該主旨の範囲内における任意の変形や追加を施すことができる。
【００７５】
【発明の効果】
以上のような構成を備えた本発明によれば、被検者の周囲の環境や画像など、装置外部の対象物を見ている状態の被検眼の屈折測定を行うことが可能な屈折測定装置を提供することができる。
【００７６】
また、本発明によれば、より自然な姿勢で被検眼の屈折測定を行うことが可能な屈折測定装置を提供することができる。
【００７７】
また、本発明によれば、移動しながらでも屈折測定を行うことが可能な屈折測定装置を提供することができる。
【００７８】
更に、このような屈折測定装置により、時間とともに変化する被検眼の屈折力をリアルタイムで測定することも可能となる。
【図面の簡単な説明】
【図１】本発明の第１の実施の形態の屈折測定装置の使用状態の概略を示す透視図である。
【図２】本発明の第１の実施の形態の屈折測定装置の内部構成を示す概略図である。
【図３】本発明の第２の実施の形態の屈折測定装置の内部構成を示す概略図である。
【図４】本発明の第３の実施の形態の屈折測定装置が備える眼球運動測定装置の構成を示す概略図である。
【図５】本発明の第３の実施の形態の屈折測定装置が備える眼球運動測定装置の変形例の部分構成を示す概略図である。
【符号の説明】
１、１０１  屈折測定装置
２、１０２  光学モジュール
３、１０３  プリズム部
４  演算制御部
２１、１２１  光源
２２、１２２  プリズム
２３、１２３  ＣＣＤ
２５  ミラー
３１、１３１  自由曲面プリズム
３２、１３２  偏角補正プリズム
１２６、１２７  絞り
４１  光源
４２、４２’  光ファイバ
４４、４４’  光ディテクタ
４６  超音波モータ
Ａ  被検者
Ｅ  被検眼
Ｆ  眼底
Ｌ  水晶体
Ｃ  角膜（虹彩）
Ｐ  瞳孔
Ｓ  強膜
【図１】
2004298461.tif 000003
【図２】
2004298461.tif 000004
【図３】
2004298461.tif 000005
【図４】
2004298461.tif 000006
【図５】
2004298461.tif 000007